【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
関心領域内の対象者から磁気共鳴フィンガープリンティング（ＭＲＦ）磁気共鳴データを取得するための磁気共鳴イメージングシステムであって、前記磁気共鳴イメージングシステムが、
前記磁気共鳴イメージングシステムを制御するためのプロセッサと、
マシン実行可能命令及びＭＲＦパルスシーケンスコマンドを格納するためのメモリであって、前記ＭＲＦパルスシーケンスコマンドが、磁気共鳴フィンガープリンティングプロトコルに従って前記ＭＲＦ磁気共鳴データを取得するように前記磁気共鳴イメージングシステムを制御する、メモリと
を備え、
前記マシン実行可能命令の実行が、前記プロセッサに、
前記ＭＲＦパルスシーケンスコマンドにより前記磁気共鳴イメージングシステムを制御することによって前記関心領域の前記ＭＲＦ磁気共鳴データを取得し、前記ＭＲＦ磁気共鳴データからＭＲフィンガープリントを再構成することと、
前記関心領域を描写する磁気共鳴データを受け取ることと、
解剖学的モデルを使用して前記磁気共鳴データにおける前記関心領域内の解剖学的領域を識別することと、
前記解剖学的領域の各々に対して１組の磁気共鳴フィンガープリンティングディクショナリから局所的磁気共鳴フィンガープリンティングディクショナリを選択することであって、前記局所的磁気共鳴フィンガープリンティングディクショナリが、前記解剖学的領域の各々に固有の１組の所定の物質に対する計算されたＭＲＦ信号のリストを含む、選択することと、
前記ＭＲフィンガープリントと前記局所的磁気共鳴フィンガープリンティングディクショナリとを使用して前記解剖学的領域の各々に対して前記所定の物質の組成マッピングを計算することであって、前記組成マッピングが前記解剖学的領域の各々内のボクセルの空間平均である、計算することと
を行わせる、磁気共鳴イメージングシステム。
【請求項２】
前記マシン実行可能命令の実行により、空間平均化が、
前記局所的磁気共鳴フィンガープリンティングディクショナリを使用して前記組成マッピングを計算する前に、画像空間における前記解剖学的領域の各々内の磁気共鳴フィンガープリントのボクセルごとの平均化を実行すること、
前記局所的磁気共鳴フィンガープリンティングディクショナリを使用して前記組成マッピングを計算した後に、前記組成マッピングのボクセルごとの平均化を実行すること、及び
前記組成マッピングが前記解剖学的領域の各々についての前記ボクセルに最良フィットするように前記局所的磁気共鳴フィンガープリンティングディクショナリを使用して前記組成マッピングを計算すること
のうちの任意の１つを使用して実行される、請求項１に記載の磁気共鳴イメージングシステム。
【請求項３】
前記マシン実行可能命令の実行が、更に、前記プロセッサに、
前記解剖学的領域から選択された解剖学的領域内のボクセルごとに組成分布を決定することと、
異常なボクセルの前記組成分布が所定のしきい値を超えて前記解剖学的領域の各々内の前記空間平均と異なる場合、前記解剖学的領域内の前記異常なボクセルを異常であるとして識別することと
を行わせる、請求項１に記載の磁気共鳴イメージングシステム。
【請求項４】
前記マシン実行可能命令の実行が、更に、前記プロセッサに、前記磁気共鳴フィンガープリンティングディクショナリによる異常組織磁気共鳴フィンガープリンティングディクショナリを使用することによって前記異常なボクセルの各々に対して異常なボクセル組成を決定させる、請求項３に記載の磁気共鳴イメージングシステム。
【請求項５】
前記マシン実行可能命令の実行が、更に、前記プロセッサに、
前記解剖学的領域の各々の間の境界ボクセルを識別することと、
前記境界ボクセルの各々に隣接する解剖学的領域ごとに前記局所的磁気共鳴フィンガープリンティングディクショナリを使用して、前記境界ボクセルの各々についての部分的ボクセル組成マッピングを計算することと、
を行わせる、請求項１に記載の磁気共鳴イメージングシステム。
【請求項６】
前記マシン実行可能命令の実行が、更に、前記プロセッサに、前記関心領域のＢ１＋マッピングを受け取らせ、前記マシン実行可能命令の実行が、前記プロセッサに、前記Ｂ１＋マッピングを使用して前記組成マッピングを補正させる、請求項１に記載の磁気共鳴イメージングシステム。
【請求項７】
前記メモリが、Ｂ１＋マッピング磁気共鳴イメージングプロトコルに従ってＢ１＋マッピング磁気共鳴データを取得するためのＢ１＋マッピングパルスシーケンスコマンドを更に含み、前記マシン実行可能命令の実行が、更に、前記プロセッサに、
前記Ｂ＋マッピングパルスシーケンスコマンドにより前記磁気共鳴イメージングシステムを制御することによって前記Ｂ１＋マッピング磁気共鳴データを取得することと、
Ｂ１＋マッピング磁気共鳴イメージングプロトコルに従って前記Ｂ１＋マッピング磁気共鳴データを使用して前記Ｂ１＋マッピングを再構成することと
を行わせることによって前記Ｂ１＋マップを受け取らせる、請求項６に記載の磁気共鳴イメージングシステム。
【請求項８】
前記マシン実行可能命令の実行が、前記プロセッサに、前記ＭＲＦ磁気共鳴データを使用し、Ｂ１＋マッピング磁気共鳴フィンガープリンティングディクショナリを使用して、前記Ｂ１＋マップを再構成することによって前記Ｂ１＋マップを受け取らせ、前記Ｂ１＋マッピング磁気共鳴フィンガープリンティングディクショナリが、Ｂ１＋マッピング値のエントリを含む、請求項６に記載の磁気共鳴イメージングシステム。
【請求項９】
前記メモリが、ＭＲイメージングプロトコルによるイメージングパルスシーケンスコマンドを更に含み、前記マシン実行可能命令の実行が、更に、前記プロセッサに、
前記イメージングパルスシーケンスコマンドにより前記磁気共鳴イメージングシステムを制御することによってイメージング磁気共鳴データを取得することと、
前記ＭＲイメージングプロトコルに従って前記イメージング磁気共鳴データから前記少なくとも１つの磁気共鳴画像を再構成することと
を行わせることによって前記少なくとも１つの磁気共鳴画像を受け取らせる、請求項１に記載の磁気共鳴イメージングシステム。
【請求項１０】
前記解剖学的モデルが、変形可能モデル及び解剖学的アトラスのうちの任意の１つである、請求項１に記載の磁気共鳴イメージングシステム。
【請求項１１】
前記解剖学的モデルが、モデル領域と、前記１組の磁気共鳴フィンガープリンティングディクショナリからの前記局所的磁気共鳴フィンガープリンティングディクショナリの選択との間のリンクを含む、請求項１に記載の磁気共鳴イメージングシステム。
【請求項１２】
関心領域内の対象者から磁気共鳴フィンガープリンティング（ＭＲＦ）磁気共鳴データを取得するための磁気共鳴イメージングシステムの作動方法であって、前記方法が、
ＭＲＦパルスシーケンスコマンドにより前記磁気共鳴イメージングシステムを制御することによって前記関心領域の前記ＭＲＦ磁気共鳴データを取得するステップであって、前記ＭＲＦパルスシーケンスコマンドが、磁気共鳴フィンガープリンティングプロトコルに従って前記ＭＲＦ磁気共鳴データを取得するように前記磁気共鳴イメージングシステムを制御し、前記ＭＲＦ磁気共鳴データからＭＲフィンガープリントを再構成するように構成される、取得するステップと、
前記関心領域を描写する磁気共鳴データを受け取るステップと、
解剖学的モデルを使用して前記磁気共鳴データにおける前記関心領域内の解剖学的領域を識別するステップと、
前記解剖学的領域の各々に対して１組の磁気共鳴フィンガープリンティングディクショナリから局所的磁気共鳴フィンガープリンティングディクショナリを選択するステップであって、前記局所的磁気共鳴フィンガープリンティングディクショナリが、前記解剖学的領域の各々に固有の１組の所定の物質に対する計算されたＭＲＦ信号のリストを含む、選択するステップと、
前記ＭＲフィンガープリントと前記局所的磁気共鳴フィンガープリンティングディクショナリとを使用して前記解剖学的領域の各々に対して前記所定の物質の組成マッピングを計算するステップであって、前記組成マッピングが前記解剖学的領域の各々内のボクセルの空間平均である、計算するステップと
を有する、方法。
【請求項１３】
空間平均化が、
前記局所的磁気共鳴フィンガープリンティングディクショナリを使用して前記組成マッピングを計算する前に、画像空間における前記解剖学的領域の各々内の磁気共鳴フィンガープリントのボクセルごとの平均化を実行すること、
前記局所的磁気共鳴フィンガープリンティングディクショナリを使用して前記組成マッピングを計算した後に、前記組成マッピングのボクセルごとの平均化を実行すること、及び
前記組成マッピングが前記解剖学的領域の各々についての前記ボクセルに最良フィットするように前記局所的磁気共鳴フィンガープリンティングディクショナリを使用して前記組成マッピングを計算すること
のうちの任意の１つを使用して実行される、請求項１２に記載の方法。
【請求項１４】
前記解剖学的領域から選択された解剖学的領域内のボクセルごとに組成分布を決定するステップと、
異常なボクセルの前記組成分布が所定のしきい値を超えて前記解剖学的領域の各々内の前記空間平均と異なる場合、前記解剖学的領域内の前記異常なボクセルを異常であるとして識別するステップと
を更に有する、請求項１２に記載の方法。
【請求項１５】
磁気共鳴イメージングシステムを制御するプロセッサによる実行のためのマシン実行可能命令を記憶する非一時的コンピュータ可読媒体であって、前記マシン実行可能命令の実行が、前記プロセッサに、
磁気共鳴フィンガープリンティング（ＭＲＦ）パルスシーケンスコマンドにより前記磁気共鳴イメージングシステムを制御することによって関心領域のＭＲＦ磁気共鳴データを取得することであって、前記ＭＲＦパルスシーケンスコマンドが、磁気共鳴フィンガープリンティングプロトコルに従って前記ＭＲＦ磁気共鳴データを取得するように前記磁気共鳴イメージングシステムを制御し、前記ＭＲＦ磁気共鳴データからＭＲフィンガープリントを再構成するように構成される、取得することと、
前記関心領域を描写する磁気共鳴データを受け取ることと、
解剖学的モデルを使用して前記磁気共鳴データにおける前記関心領域内の解剖学的領域を識別することと、
前記解剖学的領域の各々に対して１組の磁気共鳴フィンガープリンティングディクショナリから局所的磁気共鳴フィンガープリンティングディクショナリを選択することであって、前記局所的磁気共鳴フィンガープリンティングディクショナリが、前記解剖学的領域の各々に固有の１組の所定の物質に対する計算されたＭＲＦ信号のリストを含む、選択することと、
前記ＭＲフィンガープリントと前記局所的磁気共鳴フィンガープリンティングディクショナリとを使用して前記解剖学的領域の各々に対して前記所定の物質の組成マッピングを計算することであって、前記組成マッピングが前記解剖学的領域の各々内のボクセルの空間平均である、計算することと
を行わせる、非一時的コンピュータ可読媒体。
【請求項１６】
前記磁気共鳴フィンガープリンティングディクショナリによる異常組織磁気共鳴フィンガープリンティングディクショナリを使用することによって前記異常なボクセルの各々に対して異常なボクセル組成を決定するステップ
を更に有する、請求項１４に記載の方法。
【請求項１７】
前記解剖学的領域の各々の間の境界ボクセルを識別するステップと、
前記境界ボクセルの各々に隣接する解剖学的領域ごとに前記局所的磁気共鳴フィンガープリンティングディクショナリを使用して、前記境界ボクセルの各々についての部分的ボクセル組成マッピングを計算するステップと、
を更に有する、請求項１２に記載の方法。
【請求項１８】
前記マシン実行可能命令の実行が、更に、前記プロセッサに、
前記解剖学的領域から選択された解剖学的領域内のボクセルごとに組成分布を決定することと、
異常なボクセルの前記組成分布が所定のしきい値を超えて前記解剖学的領域の各々内の前記空間平均と異なる場合、前記解剖学的領域内の前記異常なボクセルを異常であるとして識別することと
を行わせる、請求項１５に記載の非一時的コンピュータ可読媒体。
【請求項１９】
前記マシン実行可能命令の実行が、更に、前記プロセッサに、前記磁気共鳴フィンガープリンティングディクショナリによる異常組織磁気共鳴フィンガープリンティングディクショナリを使用することによって前記異常なボクセルの各々に対して異常なボクセル組成を決定させる、請求項１８に記載の非一時的コンピュータ可読媒体。
【請求項２０】
前記マシン実行可能命令の実行が、更に、前記プロセッサに、
前記解剖学的領域の各々の間の境界ボクセルを識別することと、
前記境界ボクセルの各々に隣接する解剖学的領域ごとに前記局所的磁気共鳴フィンガープリンティングディクショナリを使用して、前記境界ボクセルの各々についての部分的ボクセル組成マッピングを計算することと、
を行わせる、請求項１５に記載の非一時的コンピュータ可読媒体。